(57)【要約】【課題】停車時以降に生じる事象に関連する情報をより適切な時期に提供することが可能な停車時注意喚起システム、停車時注意喚起装置及び情報処理センターを提供する。【解決手段】メッセージ受信部２５は、車両の停車時以降に発生するイベントに関連するメッセージと、車両の停車時以降に行われる車両のドライバーの操作である再生タイミングとを関連付けて記憶し、モニター２７及びスピーカ２８は、車両の停車時以降にドライバーにより再生タイミングに係る操作が行なわれたときに、メッセージ受信部２５に当該操作と関連付けて記憶されたメッセージをドライバーに提供する。このため、停車時以降に発生するイベントに関連する情報であるメッセージを、当該イベントが発生する時期により近い時期に提示することができ、停車時以降に生じるイベントに関連する情報をより適切な時期に提供することが可能となる。【選択図】図１
2011105073.tif 000002
【特許請求の範囲】
【請求項１】
車両の停車時以降に発生する事象に関連する情報である停車後関連情報と、前記車両の停車時以降に行われる前記車両のドライバーの操作である停車後操作とを関連付けて記憶する記憶手段と、
前記車両の停車時以降に前記車両のドライバーにより前記停車後操作が行なわれたときに、前記記憶手段に前記停車後操作と関連付けて記憶された前記停車後関連情報を提供する情報提供手段と、
を備えた停車時注意喚起システム。
【請求項２】
前記記憶手段は、前記車両の外部のオペレータ端末によりそれぞれ選択された前記停車後関連情報と前記停車後操作とを関連付けて記憶する、請求項１に記載の停車時注意喚起システム。
【請求項３】
前記記憶手段は、前記停車後関連情報と、前記停車後操作と、前記車両の目的地及び経由地のいずれかとを関連付けて記憶し、
前記情報提供手段は、前記目的地及び前記経由地のいずれかにおいて、前記車両の停車時以降に前記車両のドライバーにより前記停車後操作が行なわれたときに、前記記憶手段に前記目的地と前記停車後操作とに関連付けて記憶された前記停車後関連情報を提供する、請求項１又は２に記載の停車時注意喚起システム。
【請求項４】
前記停車後操作は、前記車両の運転キー脱着、パーキングブレーキ作動、ドア開放、給油口開放及びライト消灯のいずれかである、請求項１〜３のいずれか１項に記載の停車時注意喚起システム。
【請求項５】
自車の停車時以降に発生する事象に関連する情報である停車後関連情報と、前記自車の停車時以降に行われる前記車両のドライバーの操作である停車後操作とを関連付けて記憶する記憶手段と、
前記自車の停車時以降に前記自車のドライバーにより前記停車後操作が行なわれたときに、前記記憶手段に前記停車後操作と関連付けられた記憶された前記停車後関連情報を提供する情報提供手段と、
を備えた停車時注意喚起装置。
【請求項６】
前記記憶手段は、前記自車の外部のオペレータ端末によりそれぞれ選択された前記停車後関連情報と前記停車後操作とを関連付けて記憶する、請求項１に記載の停車時注意喚起装置。
【請求項７】
前記記憶手段は、前記停車後関連情報と、前記停車後操作と、前記自車の目的地及び経由地のいずれかとを関連付けて記憶し、
前記情報提供手段は、前記目的地及び前記経由地のいずれかにおいて、前記自車の停車時以降に前記自車のドライバーにより前記停車後操作が行なわれたときに、前記記憶手段に前記目的地と前記停車後操作とに関連付けて記憶された前記停車後関連情報を提供する、請求項５又は６に記載の停車時注意喚起装置。
【請求項８】
前記停車後操作は、前記自車のパーキングブレーキ作動、ドア開放、給油口開放及びライト消灯のいずれかである、請求項５〜７のいずれか１項に記載の停車時注意喚起装置。
【請求項９】
車両の停車時以降に発生する事象に関連する情報である停車後関連情報と、前記車両の停車時以降に行われる前記車両のドライバーの操作である停車後操作とを関連付ける関連付け手段と、
前記関連付け手段が関連付けた前記停車後関連情報と前記停車後操作とに関する情報を前記車両に送信する送信手段と、
を備えた情報処理センター。
【請求項１０】
前記関連付け手段は、前記車両の外部のオペレータ端末によりそれぞれ選択された前記停車後関連情報と前記停車後操作とを関連付けて記憶する、請求項９に記載の情報処理センター。
【請求項１１】
前記関連付け手段は、前記停車後関連情報と、前記停車後操作と、前記車両の目的地及び経由地のいずれかとを関連付け、
前記送信手段は、前記関連付け手段が関連付けた前記停車後関連情報と前記停車後操作と前記目的地及び経由地のいずれかとに関する情報を前記車両に送信する、請求項９又は１０に記載の情報処理センター。
【請求項１２】
前記停車後操作は、前記車両のパーキングブレーキ作動、ドア開放、給油口開放及びライト消灯のいずれかである、請求項９〜１１のいずれか１項に記載の情報処理センター。
【発明の詳細な説明】
【技術分野】
【０００１】
本発明は、停車時注意喚起システム、停車時注意喚起装置及び情報処理センターに関し、特に、特に車両のドライバーに情報を提供するための停車時注意喚起システム、停車時注意喚起装置及び情報処理センターに関するものである。
【背景技術】
【０００２】
従来、車両のドライバーに楽曲等のコンテンツを提供するシステムが提案されている。例えば、特許文献１には、自動車の搭乗時に適切なタイミングで楽曲提案を行なえるようにしたコンテンツ提案装置が開示されている。特許文献１の装置では、楽曲提案の各終了時に、予め次回の楽曲提案の予定日時が設定され、この予定日時が記憶装置に記憶される。自動車のエンジンが始動すると、現在時刻が記憶装置に記憶してある予定日時以降となっているか否かが判定される。現在時刻が予定日時より前であるならば、楽曲提案は行なわず、予定日時以降であるならば、楽曲提案が行なわれる。ユーザは、提案された楽曲に対して再生、再生予約、別の楽曲提案要求、楽曲提案終了といった動作を選択する。
【先行技術文献】
【特許文献】
【０００３】
【特許文献１】特開２００８−１８７５６号公報
【発明の概要】
【発明が解決しようとする課題】
【０００４】
ところで、特許文献１の装置では、車両走行時に再生すべき主に楽曲に関するコンテンツを想定する。ところが、車両が停車し、例えばドライバーが降車した後に生じる事象に関する情報については、車両走行時にドライバーに当該情報を提示しても、ドライバーは降車時には当該情報を忘れてしまう可能性がある。さらに、車両走行時においてドライバーに運転操作に専念して欲しい状況では、むやみにドライバーの注意をそらしかねない過度の情報の提示は好ましくない場合がある。
【０００５】
本発明は、このような実情に考慮してなされたものであり、その目的は、停車時以降に生じる事象に関連する情報をより適切な時期に提供することが可能な停車時注意喚起システム、停車時注意喚起装置及び情報処理センターを提供することにある。
【課題を解決するための手段】
【０００６】
本発明は、車両の停車時以降に発生する事象に関連する情報である停車後関連情報と、車両の停車時以降に行われる車両のドライバーの操作である停車後操作とを関連付けて記憶する記憶手段と、車両の停車時以降に車両のドライバーにより停車後操作が行なわれたときに、記憶手段に停車後操作と関連付けて記憶された停車後関連情報を提供する情報提供手段とを備えた停車時注意喚起システムである。
【０００７】
この構成によれば、記憶手段は、車両の停車時以降に発生する事象に関連する情報である停車後関連情報と、車両の停車時以降に行われる車両のドライバーの操作である停車後操作とを関連付けて記憶し、情報提供手段は、車両の停車時以降に車両のドライバーにより停車後操作が行なわれたときに、記憶手段に停車後操作と関連付けて記憶された停車後関連情報を提供する。このため、停車時以降に発生する事象に関連する情報である停車後関連情報を、当該事象が発生する時期により近い時期に提示することができる。このため、停車時以降に生じる事象に関連する情報をより適切な時期に提供することが可能となる。
【０００８】
この場合、記憶手段は、車両の外部のオペレータ端末によりそれぞれ選択された停車後関連情報と停車後操作とを関連付けて記憶することが好適である。
【０００９】
この構成によれば、記憶手段は、車両の外部のオペレータ端末によりそれぞれ選択された停車後関連情報と停車後操作とを関連付けて記憶するため、車両外部のオペレータ端末によって停車後操作と関連付けられた停車後関連情報を、オペレータ端末側から運転操作中のドライバーの注意をそらさずに提供することができる。
【００１０】
また、記憶手段は、停車後関連情報と、停車後操作と、車両の目的地及び経由地のいずれかとを関連付けて記憶し、情報提供手段は、目的地及び経由地のいずれかにおいて、車両の停車時以降に車両のドライバーにより停車後操作が行なわれたときに、記憶手段に目的地と停車後操作とに関連付けて記憶された停車後関連情報を提供することが好適である。
【００１１】
この構成によれば、記憶手段は、停車後関連情報と、停車後操作と、車両の目的地又は経由地とを関連付けて記憶し、情報提供手段は、目的地又は経由地において、車両の停車時以降に車両のドライバーにより停車後操作が行なわれたときに、記憶手段に目的地等と停車後操作とに関連付けて記憶された停車後関連情報を提供するため、目的地等に到着以降であって、且つ車両の停車時以降に、目的地等と停車後操作とに関連付けられた停車後関連情報をより適切な時期に提供することが可能となる。
【００１２】
さらに、停車後操作は、車両の運転キー脱着、パーキングブレーキ作動、ドア開放、給油口開放及びライト消灯のいずれかとすることが好適である。
【００１３】
車両の運転キー脱着、パーキングブレーキ作動、ドア開放、給油口開放及びライト消灯は、停車後において行われる可能性が高く、停車後関連情報を提供する時期としやすいため、好適である。
【００１４】
一方、本発明は、自車の停車時以降に発生する事象に関連する情報である停車後関連情報と、自車の停車時以降に行われる車両のドライバーの操作である停車後操作とを関連付けて記憶する記憶手段と、自車の停車時以降に自車のドライバーにより停車後操作が行なわれたときに、記憶手段に停車後操作と関連付けられた記憶された停車後関連情報を提供する情報提供手段とを備えた停車時注意喚起装置である。
【００１５】
この場合、記憶手段は、自車の外部のオペレータ端末によりそれぞれ選択された停車後関連情報と停車後操作とを関連付けて記憶することが好適である。
【００１６】
また、記憶手段は、停車後関連情報と、停車後操作と、自車の目的地及び経由地のいずれかとを関連付けて記憶し、情報提供手段は、目的地及び経由地のいずれかにおいて、自車の停車時以降に自車のドライバーにより停車後操作が行なわれたときに、記憶手段に目的地と停車後操作とに関連付けて記憶された停車後関連情報を提供することが好適である。
【００１７】
さらに、停車後操作は、自車のパーキングブレーキ作動、ドア開放、給油口開放及びライト消灯のいずれかであることが好適である。
【００１８】
一方、本発明は、車両の停車時以降に発生する事象に関連する情報である停車後関連情報と、車両の停車時以降に行われる前記車両のドライバーの操作である停車後操作とを関連付ける関連付け手段と、関連付け手段が関連付けた停車後関連情報と停車後操作とに関する情報を車両に送信する送信手段とを備えた情報処理センターである。
【００１９】
この場合、関連付け手段は、車両の外部のオペレータ端末によりそれぞれ選択された停車後関連情報と停車後操作とを関連付けて記憶することが好適である。
【００２０】
また、関連付け手段は、停車後関連情報と、停車後操作と、車両の目的地及び経由地のいずれかとを関連付け、送信手段は、関連付け手段が関連付けた停車後関連情報と停車後操作と目的地及び経由地のいずれかとに関する情報を車両に送信することが好適である。
【００２１】
さらに、停車後操作は、車両のパーキングブレーキ作動、ドア開放、給油口開放及びライト消灯のいずれかであることが好適である。
【発明の効果】
【００２２】
本発明の停車時注意喚起システム、停車時注意喚起装置及び情報処理センターによれば、停車時以降に生じる事象に関連する情報をより適切な時期に提供することが可能となる。
【図面の簡単な説明】
【００２３】
【図１】実施形態に係るオペレータ端末と車載機との構成を示す図である。
【図２】オペレータ端末操作画面を示す図である。
【図３】車載機の動作を示すフローチャートである。
【図４】車載機表示画面を示す図である。
【発明を実施するための形態】
【００２４】
以下、図面を参照して本発明の実施形態に係る停車時注意喚起システムについて説明する。本実施形態の停車時注意喚起システムでは、オペレータが車両外部のオペレータ端末に停車時あるいは降車時にドライバーに知らせた方が良い情報を入力する。このような情報には、例えば、降車時に割引カードやクーポンや駐車チケット等を持参した方が良いと言った情報が含まれる。ドライバーは、降車時に当該情報を画像表示や音声案内で提供される。
【００２５】
図１に示すように、本実施形態の停車時注意喚起システムは、オペレータ端末１０と車載機２０とから構成される。オペレータ端末１０は、メッセージ入力部１１とメッセージ送信部を備える。メッセージ入力部１１は、具体的にはキーボードとディスプレイから構成され、オペレータが停車時あるいは降車時にドライバーに知らせた方が良いと考えたメッセージが入力される。また、メッセージ入力部１１には、メッセージを再生するべき時期を示す再生タイミングが当該メッセージと関連付けて入力される。
【００２６】
メッセージ送信部１２は、メッセージ入力部１１にオペレータが入力したメッセージを車載機２０に送信するためのものである。メッセージ送信部１２は、無指向性の無線通信や路側の光ビーコン送信機等の設備を用いて、車載機２０にメッセージを送信する。
【００２７】
車載機２０は、車載機制御部２１、ナビゲーションシステム２２、車両状態センサ２３、ディスプレイ２７及びスピーカ２８を備えている。ナビゲーションシステム２２は、ＧＰＳ（Global  Positioning  System）による自車の測位とデータベース内の地図情報とに基づいて、ドライバーが入力操作により指定した目的地や経由地への経路案内を行うためのものである。本実施形態では、主に、自車が目的地や経由地に到達したか否かを判定するために用いられる。
【００２８】
車両状態センサ２３は、自車の停車時以降に行われるドライバーの操作を検出するためのものであり、エンジン停止の他、運転キー脱着、車両のパーキングブレーキ作動、ドア開放、給油口開放及びライト消灯等のドライバーによる操作を検出する。車両状態センサ２３は、具体的には、運転キースイッチ、パーキングブレーキ、ドア、給油口及びライト等に設けられたセンサである。
【００２９】
車載機制御部２１は、タイミング判定部２４、メッセージ受信部２５及び音声合成部２６を有する。タイミング判定部２４は、ナビゲーションシステム２２及び車両状態センサ２３から得られた情報から、メッセージ受信部２５がオペレータ端末１０から受信したメッセージを再生するタイミングか否かを判定するためのものである。
【００３０】
メッセージ受信部２５は、オペレータ端末１０から送信されたメッセージを受信するためのものである。メッセージ受信部２５には、メッセージの内容とその再生タイミングとが関連付けて記憶される。
【００３１】
音声合成部２６は、再生するメッセージが音声による案内を伴う音声読み上げ設定がなされたものである場合に、画像表示と同時に再生すべき音声案内をメッセージに合成するためのものである。
【００３２】
モニター２７は、再生するメッセージを画像表示するためのものである。スピーカ２８は、音声合成部２６によりメッセージに合成された音声案内を行うためのものである。
【００３３】
以下、本実施形態の停車時注意喚起システムの動作について説明する。まず、オペレータ端末１０側の動作から説明する。オペレータ端末１０のメッセージ入力部１２には、図２のオペレータ端末操作画面１００に示すようなメッセージが入力される。図２に示すように、オペレータ端末操作画面１００のメッセージ入力ボックス１０１には、降車時や降車後にドライバーが向かう場所では、割引カードやクーポンや駐車チケット等を持参した方が良いと言った情報がオペレータにより入力される。例えば、「クーポンが使えますので持って行って下さいね。」「提携駐車場割引が受けられるので駐車券を持って行って下さいね」等のメッセージが入力される。
【００３４】
音声読み上げ設定ボックス１０２には、車載機２０においてメッセージの再生時にモニター２７による画像表示とともに、スピーカ２８による音声案内をも行うか否かの設定が入力される。
【００３５】
再生タイミング設定ボックス１０３には、車載機２０においてメッセージの再生を行うべき再生タイミングが入力される。図２に示すように、再生タイミングとしては、キーＯＦＦ時、次回停車時、ドアオープン時、給油口カバーオープン時及びライト消灯時といった停車時以降に行なわれる可能性があるドライバーの操作を設定することができる。例えば、給油口を操作したときに、車載機２０に、給油割引情報に関するメッセージを再生させることができる。
【００３６】
また、再生タイミングとしては、車載機２０のナビゲーションシステム２２に設定された車両の目的地や経由地への到着時とすることができる。例えば、目的地や経由地に到着時に車載機２０に、降車後の行き先でカード割引が受けられる等のメッセージを再生させることができる。あるいは、目的地や経由地に到着時に車載機２０に、「お客様がお探しのお店はこのあたりだと思います」といったメッセージを再生させることができる。
【００３７】
さらに、再生タイミングとしては、所定の指定時刻、指定時間帯、指定期間、指定年月日、指定季節、指定地点及び指定地域を設定し、そのときに車載機２０を搭載した車両が停車している場合は、車載機２０に所定のメッセージを再生させることができる。このようなメッセージとしては、夜間に防犯への留意を促すメッセージや、所定の期間に飲酒を禁ずる旨のメッセージや、冬季に車両や路面の凍結への留意を促すメッセージが考えられる。
【００３８】
なお、図２の例では、「キーＯＦＦ時」が再生タイミングとして設定されているが、上記の再生タイミングとしては、複数の再生タイミングの条件を設定することもできる。この場合、複数の再生タイミングの全てを満たしたときにメッセージを再生するＡＮＤ条件あるいは複数の再生タイミングのいずれかを満たしたときにメッセージを再生するＯＲ条件と設定することができる。
【００３９】
以上のようなメッセージと、音声読み上げの有無と、再生タイミングとを関連付けた情報をメッセージ送信部１２は車載機２０に送信する。
【００４０】
以下、車載機２０側の動作について説明する。図３に示すように、車載機２０のタイミング判定部２４は、メッセージ受信部２５にオペレータ端末１０から受信したメッセージが記憶されているときは（Ｓ１１）、当該メッセージと関連付けて記憶されている再生タイミングを取得する（Ｓ１２）。
【００４１】
タイミング判定部２４は、ナビゲーションシステム２２及び車両状態センサ２３から取得した情報が、再生タイミングと一致するか否かを判定する（Ｓ１３）。再生タイミングである場合は（Ｓ１３）、メッセージ受信部２５はモニター２７にメッセージを表示する（Ｓ１４）。図４に示す例では、目的地に到着後に、図２のメッセージ入力ボックス１０１に入力されたものと同じメッセージが表示される。
【００４２】
音声合成部２６は、メッセージ受信部２５に記憶されたメッセージに関連付けられた音声読み上げ設定を取得する（Ｓ１５）。メッセージに関連付けられた音声読み上げ設定が音声読み上げを要するものであるときは（Ｓ１６）、音声合成部２６は、スピーカ２８から音声案内を出力し、メッセージに音声を合成する（Ｓ１７）。
【００４３】
本実施形態によれば、メッセージ受信部２５は、車両の停車時以降に発生するイベントに関連するメッセージと、車両の停車時以降に行われる車両のドライバーの操作である再生タイミングとを関連付けて記憶し、モニター２７及びスピーカ２８は、車両の停車時以降にドライバーにより再生タイミングに係る操作が行なわれたときに、メッセージ受信部２５に当該操作と関連付けて記憶されたメッセージをドライバーに提供する。このため、停車時以降に発生するイベントに関連する情報であるメッセージを、当該イベントが発生する時期により近い時期に提示することができる。このため、停車時以降に生じるイベントに関連する情報をより適切な時期に提供することが可能となる。
【００４４】
すなわち、ドライバーが車両の運転中に情報を教えられた場合は、ドライバーは降車時には忘れてしまう可能性がある。オペレータがドライバーに言伝したくとも、ドライバーに運転に専念してもらいたい状況では、オペレータはむやみに注意を逸らしかねない案内をすることは難しい。また、直接にドライバーに口頭で忘れ物等に関する注意を促すのは失礼にもなりかねない。
【００４５】
特に、オペレータによるサービス割引等で、割引クーポンやカード割引等が使えるような場合に、ドライバーが車両の運転時に当該情報を教えてもらっても、バックやトランク内に割引クーポン券等がある場合、その場で確認することは困難である。そして、実際に確認することができるのは、停車時や降車時になるため、時間が経ってしまい、当該情報を忘れてしまうことがある。さらには、割引情報等の補足的な情報提供は、運転負荷が高い状況では、ドライバーに疎ましさを感じさせる恐れが有る。
【００４６】
一方、本実施形態では、停車時以降に発生するイベントに関連する情報であるメッセージを、車両が停車後の当該イベントが発生する時期により近い時期に提示することができるため、メッセージをドライバーが忘れずに有効に活用でき、かつドライバーの運転操作が妨げられる恐れもない。
【００４７】
また、本実施形態では、メッセージ受信部２５は、車両の外部のオペレータ端末１０によりそれぞれ選択されたメッセージと再生タイミングとを関連付けて記憶するため、車両外部のオペレータ端末１０によって再生タイミングと関連付けられたメッセージを、オペレータ端末１０側から運転操作中のドライバーの注意をそらさずに提供することができる。
【００４８】
さらに、本実施形態では、メッセージ受信部２５は、メッセージと、再生タイミングとなるドライバーの操作と、車両の目的地又は経由地とを関連付けて記憶し、モニター２７及びスピーカ２８は、目的地又は経由地において、車両の停車時以降にドライバーにより再生タイミングに係る操作が行なわれたときに、メッセージ受信部２５に目的地等とドライバーの操作とに関連付けて記憶されたメッセージをドライバーに提供するため、目的地等に到着以降であって、且つ車両の停車時以降に、目的地等とドライバーの操作とに関連付けられたメッセージをより適切な時期に提供することが可能となる。すなわち、行き先の情報を連携させた効果的な情報提供が可能となる。
【００４９】
加えて、本実施形態では、再生タイミングとなるドライバーの操作を、車両の運転キー脱着、パーキングブレーキ作動、ドア開放、給油口開放及びライト消灯としており、これらは停車後において行われる可能性が高く、メッセージを提供する時期としやすいため、好適である。
【００５０】
尚、本発明は、上記した実施の形態に限定されるものではなく、本発明の要旨を逸脱しない範囲内において種々変更を加え得ることは勿論である。例えば、上記実施形態では、オペレータ端末１０から送信されたメッセージを再生する態様を中心に説明したが、車載機２０が路車間通信等により、停車時以降に発生する事象に関連する情報をその再生タイミングと関連付けて受信して、記憶しておき、再生タイミング時に再生するような車載機２０のみで独立して動作するシステムとしても良い。
【符号の説明】
【００５１】
１０…オペレータ端末、１１…メッセージ入力部、１２…メッセージ送信部、２０…車載機、２１…車載機制御部、２２…ナビゲーションシステム、２３…車両状態センサ、２４…タイミング判定部、２５…メッセージ受信部、２６…音声合成部、２７…モニター、２８…スピーカ、１００…オペレータ端末操作画面、１０１…メッセージ入力ボックス、１０２…音声読み上げ設定ボックス、１０３…再生タイミング設定ボックス、２００…車載機表示画面。
【図１】
2011105073.tif 000003
【図２】
2011105073.tif 000004
【図３】
2011105073.tif 000005
【図４】
2011105073.tif 000006